(57)【要約】【課題】  簡易な手段を用いることにより、電力線だけでなく通信線から侵入する誘導雷によるサージ電圧によって各種電気機器が故障することを未然に防止する。【解決手段】  電源用避雷器としてのバリスタ１７〜１９およびガスアレスタ２０と通信用避雷器としてのガスアレスタ２１を筐体１１内に組み込んで、その筐体１１の上部背面側に接地端子１２ｃ付き差込みプラグ１２を配設すると共に筐体１１の中央部前面側にプラグ受け１３を配設し、差込みプラグ１２とその接地端子１２ｃとの間にバリスタ１７〜１９およびガスアレスタ２０を接続すると共に、差込みプラグ１２とその接地端子１２ｃとの間にプラグ受け１３をバリスタ１７〜１９およびガスアレスタ２０と並列に接続し、筐体１１の下部に通信用入出力端子としての一対のコネクタジャック１５を配設し、一対のコネクタジャック１５間にガスアレスタ２１を接続する。【選択図】    図１
2013235825.tif 000002
【特許請求の範囲】
【請求項１】
誘導雷および直撃雷によるサージ電圧を吸収する性能を有する酸化亜鉛素子とギャップ型避雷素子とで構成された電源用避雷器と、ギャップ型避雷素子で構成された通信用避雷器とを筐体内に組み込んで、前記筐体の上部背面側に接地端子付き差込みプラグを配設すると共に前記筐体の中央部前面側にプラグ受けを配設し、前記差込みプラグと前記接地端子との間に電源用避雷器を接続すると共に、前記差込みプラグと前記接地端子との間に前記プラグ受けを前記電源用避雷器と並列に接続し、前記筐体の下部に通信用入力端子および通信用出力端子を配設し、前記通信用入力端子と前記通信用出力端子との間に通信用避雷器を接続したことを特徴とする配線用差込接続器。
【請求項２】
前記通信用入出力端子は、前記筐体の下部側面側に配設されてアンテナから延びる同軸ケーブルが接続される一対のコネクタジャックである請求項１に記載の配線用差込接続器。
【請求項３】
前記通信用入出力端子は、前記筐体の下部底面側に配設されてモジュラーコードが接続される一対のモジュラージャックである請求項１に記載の配線用差込接続器。
【請求項４】
前記電源用避雷器および通信用避雷器の構成部品を実装した配線基板は、その表裏両面に同一の配線パターンが形成されている請求項１〜３のいずれか一項に記載の配線用差込接続器。
【請求項５】
前記筐体の下部背面側に、差込みプラグを壁面コンセントに差し込んだ状態で前記筐体の姿勢を安定させる支持部を設けた請求項１〜４のいずれか一項に記載の配線用差込接続器。
【発明の詳細な説明】
【技術分野】
【０００１】
本発明は、構築物内に収容された各種電気機器を電力線に接続して使用する場合に、電力線から侵入する雷サージによる過電圧によって各種電気機器が故障することを未然に防止する機能を備えた配線用差込接続器に関する。
【背景技術】
【０００２】
例えば、住宅やビル等の構築物内に収容された各種電気機器を電力線に接続して使用する場合に、その電力線から侵入する誘導雷によるサージ電圧によって各種電気機器が故障することを未然に防止する機能を備えた配線用差込接続器としてのサージ防護電源タップが提案されている（例えば、特許文献１参照）。
【０００３】
この特許文献１に開示された従来の配線用差込接続器は、複数のコンセント分岐用刃受部を配置したタップ外装体に対して家庭用ＡＣ電源用コンセントに接続・離脱自在な差込みプラグを直接一体化し、そのタップ外装体内で分岐用刃受部と差込みプラグとの間に、サージアブソーバおよびバリスタからなるサージ防護デバイスを接続したサージ防護電源タップである。
【先行技術文献】
【特許文献】
【０００４】
【特許文献１】実用新案登録第３１７１１９３号公報
【発明の概要】
【発明が解決しようとする課題】
【０００５】
ところで、前述した従来の配線用差込接続器としてのサージ防護電源タップは、電力線から侵入する誘導雷によるサージ電圧によって各種電気機器が故障することを未然に防止する機能のみを備えたものである。
【０００６】
しかしながら、誘導雷は電力線以外に、アンテナ線などの通信線からも侵入することがある。このようにアンテナ線などの通信線から侵入する誘導雷に対して、その誘導雷によるサージ電圧によって各種電気機器が故障することを未然に防止する機能を備えていない従来の配線用差込接続器では対処することができない。
【０００７】
そのため、アンテナ線などの通信線を利用するテレビジョン装置をはじめとする情報機器に避雷器を別途付設するなどの対策を施す必要があった。この場合、防雷設備として大掛かりとなり、コスト面においても有効な手段であるとは言えない。
【０００８】
そこで、本発明は、前述の問題点に鑑みて提案されたもので、その目的とするところは、簡易な手段を用いることにより、電力線だけでなく通信線から侵入する誘導雷によるサージ電圧によって各種電気機器が故障することを未然に防止し得るコンパクトで安価な配線用差込接続器を提供することにある。
【課題を解決するための手段】
【０００９】
前述の目的を達成するための技術的手段として、本発明は、誘導雷および直撃雷によるサージ電圧を吸収する性能を有する酸化亜鉛素子とギャップ型避雷素子とで構成された電源用避雷器と、ギャップ型避雷素子で構成された通信用避雷器とを筐体内に組み込んで、その筐体の上部背面側に接地端子付き差込みプラグを配設すると共に筐体の中央部前面側にプラグ受けを配設し、差込みプラグとその接地端子との間に電源用避雷器を接続すると共に、差込みプラグと接地端子との間にプラグ受けを電源用避雷器と並列に接続し、筐体の下部に通信用入力端子および通信用出力端子を配設し、通信用入力端子と通信用出力端子との間に通信用避雷器を接続したことを特徴とする。
【００１０】
本発明に係る配線用差込接続器では、筐体の上部背面側に配設された接地端子付き差込みプラグとその接地端子との間に電源用避雷器を接続すると共に、差込みプラグとその接地端子との間に、筐体の中央部前面側に配設されたプラグ受けを電源用避雷器と並列に接続したことにより、電力線から侵入する雷サージを電源用避雷器で吸収して、プラグ受けに接続された通信機器を保護する。同時に、筐体の下部に配設された通信用入力端子と通信用出力端子との間に通信用避雷器を接続したことにより、アンテナ線などの通信線から侵入する雷サージを通信用避雷器で吸収して、出力端子に接続された通信機器を保護する。このようにして、一つの配線用差込接続器でもって電力線および通信線の両方から侵入する雷サージによって通信機器が故障することを未然に防止できる。
【００１１】
本発明における電源用避雷器は、誘導雷および直撃雷によるサージ電圧を吸収する性能を有する酸化亜鉛素子とギャップ型避雷素子とで構成されている。このように、電源用避雷器を、誘導雷だけでなく直撃雷にも対応し得る性能を有する酸化亜鉛素子で構成したことにより、誘導雷あるいは直撃雷のいずれであっても、サージ電流を通過させて端子間電圧を制限する性能を確実に発揮させることができ、酸化亜鉛素子の劣化を抑制して避雷器の長寿命化が図れる。
【００１２】
本発明における通信用避雷器はギャップ型避雷素子で構成されている。このように、通信用避雷器をギャップ型避雷素子で構成したことにより、前述の電源用避雷器を構成するギャップ型避雷素子と同様、続流を遮断する性能を発揮させることで、通信機器を確実に保護することができる。
【００１３】
本発明における通信用入出力端子は、筐体の下部側面側に配設されてアンテナから延びる同軸ケーブルが接続される一対のコネクタジャックとすることが可能である。このようにすれば、このコネクタジャックに接続されたテレビ等の通信機器を、電力線および通信線から侵入する雷サージから保護することができる。
【００１４】
本発明における通信用入出力端子は、筐体の下部底面側に配設されてモジュラーコードが接続される一対のモジュラージャックとすることが可能である。このようにすれば、このモジュラージャックに接続された電話機などの通信機器を、電力線および通信線から侵入する雷サージから保護することができる。
【００１５】
本発明において、電源用避雷器および通信用避雷器の構成部品を実装した配線基板は、その表裏両面に同一の配線パターンが形成されていることが望ましい。このように配線基板の表裏両面に配線パターンを形成すれば、誘導雷だけでなく直撃雷にも対応し得る性能を確保することができる。また、配線基板の表裏両面で配線パターンを同一とすれば、表面側の配線パターンと裏面側の配線パターンでサージ電流が均等に流れるようになって耐サージ特性の向上が図れる。
【００１６】
本発明において、筐体の下部背面側に、差込みプラグを壁面コンセントに差し込んだ状態で筐体の姿勢を安定させる支持部を設けた構造が望ましい。このようにすれば、筐体の上部背面側に配設された差込みプラグを壁面コンセントに差し込んだ場合、筐体の下部に通信用入出力端子が配設されていることから筐体の下部に重心があっても、筐体の下部背面側に設けられた支持部を壁面に当接させることで筐体の姿勢を安定させることができる。その結果、筐体が傾いて差込みプラグが壁面コンセントから浮くことを未然に防止できる。
【発明の効果】
【００１７】
本発明によれば、筐体の上部背面側に配設された接地端子付き差込みプラグとその接地端子との間に電源用避雷器を接続すると共に、差込みプラグと接地端子との間に、筐体の中央部前面側に配設されたプラグ受けを電源用避雷器と並列に接続し、さらに、筐体の下部に配設された通信用入力端子と通信用出力端子との間に通信用避雷器を接続したことにより、電力線から侵入する雷サージを電源用避雷器で吸収して、プラグ受けに接続された通信機器を保護すると共に、通信線から侵入する雷サージに対しても通信用避雷器で吸収することにより、通信用出力端子に接続された通信機器を保護することができる。このようにして、一つの配線用差込接続器でもって電力線および通信線の両方から侵入する雷サージによって通信機器が故障することを未然に防止できる。
【００１８】
以上のように、簡易な手段を用いることにより、電力線だけでなく通信線から侵入する誘導雷によるサージ電圧によって通信機器が故障することを未然に防止し得るコンパクトで安価な配線用差込接続器を提供することができてその実用的価値は大きい。
【図面の簡単な説明】
【００１９】
【図１】本発明の実施形態（ＴＶ用）で、（Ａ）は配線用差込接続器の内部構造を示す正断面図、（Ｂ）は配線用差込接続器の内部構造を示す側断面図である。
【図２】本発明の実施形態（ＴＶ用）で、（Ａ）は配線用差込接続器の外観を示す正面図、（Ｂ）は（Ａ）の側面図、（Ｃ）は（Ａ）の底面図、（Ｄ）は（Ａ）の背面図である。
【図３】本発明の他の実施形態（ＴＥＬ用）で、（Ａ）は配線用差込接続器の内部構造を示す正断面図、（Ｂ）は配線用差込接続器の内部構造を示す側断面図である。
【図４】本発明の他の実施形態（ＴＥＬ用）で、（Ａ）は配線用差込接続器の外観を示す正面図、（Ｂ）は（Ａ）の側面図、（Ｃ）は（Ａ）の底面図、（Ｄ）は（Ａ）の背面図である。
【図５】本発明の実施形態（ＴＶ用およびＴＥＬ用）で、配線用差込接続器の内部回路構成を示す回路図である。
【図６】ＴＶ用の配線用差込接続器において、配線基板の配線パターンおよび実装部品を示す正面図である。
【図７】ＴＥＬ用の配線用差込接続器において、配線基板の配線パターンおよび実装部品を示す正面図である。
【図８】本発明の実施形態（ＴＶ用）で、配線用差込接続器の使用状態を示す側面図である。
【図９】本発明の他の実施形態（ＴＥＬ用）で、配線用差込接続器の使用状態を示す側面図である。
【図１０】ＴＶ用の配線用差込接続器の使用状態で、支持部の他例を示す側面図である。
【図１１】ＴＥＬ用の配線用差込接続器の使用状態で、支持部の他例を示す側面図である。
【発明を実施するための形態】
【００２０】
本発明に係る配線用差込接続器の実施形態を以下に詳述する。なお、図１（Ａ）（Ｂ）および図２（Ａ）〜（Ｄ）は、テレビやＤＶＤレコーダ等の通信機器を接続する場合に使用するＴＶ用の配線用差込接続器（以下、ＴＶ用差込接続器と称す）である。また、図３（Ａ）（Ｂ）および図４（Ａ）〜（Ｄ）は、電話機やＦＡＸ等の通信機器を接続する場合に使用するＴＥＬ用の配線用差込接続器（以下、ＴＥＬ用差込接続器と称す）である。以下、ＴＶ用差込接続器とＴＥＬ用差込接続器について共通して説明する。
【００２１】
同図に示すＴＶ用差込接続器およびＴＥＬ用差込接続器は、電源用避雷器および通信用避雷器を樹脂製の筐体１１内に組み込んで、その筐体１１の上部背面側に接地端子１２ｃ付き差込みプラグ１２を配設すると共に筐体１１の中央部前面側にプラグ受け１３を配設し、差込みプラグ１２とその接地端子１２ｃとの間に電源用避雷器を接続すると共に、差込みプラグ１２とその接地端子１２ｃとの間にプラグ受け１３を電源用避雷器と並列に接続し、筐体１１の下部に通信用入力端子および通信用出力端子を配設し、通信用入力端子と通信用出力端子との間に通信用避雷器を接続した構造を具備する。なお、差込みプラグ１２の接地端子１２ｃはねじ込み式で着脱自在に設けられている。この接地端子１２ｃを取り外して使用する場合には、接地端子１２ｃに代わる適宜の接地構造を採用する必要がある。
【００２２】
ＴＶ用差込接続器の場合、図１（Ａ）（Ｂ）および図２（Ａ）〜（Ｄ）に示すように、前述の通信用入出力端子は、筐体１１の下部側面側に配設されてアンテナから延びる同軸ケーブルが接続される一対のＦ形コネクタジャック１５ａ，１５ｂとしている。このように一対のコネクタジャック１５ａ，１５ｂを筐体１１の下部側面から張り出すように一直線上に配置することにより、入出力間での伝送信号の減衰を抑制するようにしている。
【００２３】
また、ＴＥＬ用差込接続器の場合、図３（Ａ）（Ｂ）および図４（Ａ）〜（Ｄ）に示すように、前述の通信用入出力端子は、筐体１１の下部底面側に配設されてモジュラーコードが接続される一対のモジュラージャック１６ａ，１６ｂとしている。このように一対のモジュラージャック１６ａ，１６ｂを筐体１１の下部底面に隣接して配置することにより、モジュラーコードの着脱を容易にしている。
【００２４】
前述の電源用避雷器は、誘導雷および直撃雷によるサージ電圧を吸収する性能を有する三つの酸化亜鉛素子であるバリスタ１７〜１９とギャップ型避雷素子であるガスアレスタ２０とで構成されている。これらバリスタ１７〜１９は、８／２０μｓ波形の誘導雷だけでなく、１０／３５０μｓ波形の直撃雷にも対応し得る性能を有する。これらバリスタ１７〜１９は、例えば、直径２５ｍｍの円盤形をなし、誘導雷について１００００Ａのサージ電流が２回、直撃雷について１０００Ａのサージ電流が２回侵入しても劣化しない性能を有する。
【００２５】
このように、電源用避雷器を、誘導雷だけでなく直撃雷にも対応し得る性能を有するバリスタ１７〜１９で構成することにより、誘導雷あるいは直撃雷のいずれであっても、サージ電流を通過させて端子間電圧を制限する性能を確実に発揮させることができ、バリスタ１７〜１９の劣化を抑制して避雷器の長寿命化が図れる。
【００２６】
なお、前述のように誘導雷だけでなく直撃雷にも対応し得る性能を有するバリスタ１７〜１９と比較して、誘導雷のみに対応し得るバリスタは、例えば、直径１４ｍｍの円盤形をなし、８／２０μｓ波形の誘導雷について２５００Ａのサージ電流で２回侵入しても劣化しない性能を有する。
【００２７】
また、通信用避雷器は、ギャップ型避雷素子であるガスアレスタ２１で構成されている。このように、電源用避雷器および通信用避雷器をガスアレスタ２０，２１で構成することにより、続流を遮断する性能を発揮させることができ、テレビやＤＶＤレコーダ等の通信機器や、電話機やＦＡＸ等の通信機器を確実に保護することができる。
【００２８】
前述した三つのバリスタ１７〜１９および二つのガスアレスタ２０，２１等を含む各構成部品は、筐体１１に収容された配線基板２２に実装され、図５に示す回路構成を具備する。なお、ＴＶ用差込接続器とＴＥＬ用差込接続器とでは、通信用入出力端子としてコネクタジャック１５ａ，１５ｂとモジュラージャック１６ａ，１６ｂが異なるのみで他の回路構成が同一であるため、以下、ＴＶ用差込接続器とＴＥＬ用差込接続器とで共通して説明する。
【００２９】
差込みプラグ１２とその接地端子１２ｃとの間に、電源用避雷器を構成するバリスタ１７〜１９およびガスアレスタ２０を接続する。つまり、差込みプラグ１２のＬ相端子１２ａおよびＮ相端子１２ｂに温度ヒューズ２５，２６を介してバリスタ１７，１８の一端を接続すると共に、それらバリスタ１７，１８の他端を共通にして接地端子１２ｃとの間にガスアレスタ２０を接続する。温度ヒューズ２５およびバリスタ１７の接続点と、温度ヒューズ２６およびバリスタ１８の接続点との間に、バリスタ１９を接続する。なお、温度ヒューズ２５およびバリスタ１７の接続点と、温度ヒューズ２６およびバリスタ１８の接続点との間に、表示器としての発光ダイオード２７（ＬＥＤ）を接続する。なお、温度ヒューズ２５，２６のそれぞれは、誘導雷だけでなく直撃雷にも耐え得るように二つの素子で構成されている〔図１（Ａ）および図３（Ａ）参照〕。
【００３０】
また、差込みプラグ１２とその接地端子１２ｃとの間に接地端子付きプラグ受け１３を電源用避雷器（バリスタ１７〜１９およびガスアレスタ２０）と並列に接続する。つまり、差込みプラグ１２のＬ相端子１２ａにプラグ受け１３のＬ相端子１３ａを接続すると共に差込みプラグ１２のＮ相端子１２ｂにプラグ受け１３のＮ相端子１３ｂを接続し、プラグ受け１３の接地端子１３ｃを差込みプラグ１２の接地端子１２ｃに接続する。
【００３１】
さらに、ＴＶ用差込接続器の場合、通信用入力端子であるＴＶIN側（アンテナ側）コネクタジャック１５ａと通信用出力端子であるＴＶOUT側（機器側）コネクタジャック１５ｂとの間に、通信用避雷器を構成するガスアレスタ２１を接続し、そのガスアレスタ２１を差込みプラグ１２の接地端子１２ｃに接続する。ＴＥＬ用差込接続器の場合、通信用入力端子であるＴＥＬIN側（外線側）モジュラージャック１６ａと通信用出力端子であるＴＥＬOUT側（機器側）モジュラージャック１６ｂとの間に、前述のガスアレスタ２１を接続し、そのガスアレスタ２１を差込みプラグ１２の接地端子１２ｃに接続する。
【００３２】
以上のような回路構成を具備したＴＶ用差込接続器およびＴＥＬ用差込接続器では、バリスタ１７〜１９、ガスアレスタ２０，２１、温度ヒューズ２５，２６、発光ダイオード２７、コネクタジャック１５ａ，１５ｂ、モジュラージャック１６ａ，１６ｂ、差込みプラグ１２およびプラグ受け１３からなる各構成部品を配線基板２２に実装している〔図１（Ａ）（Ｂ）および図３（Ａ）（Ｂ）参照〕。なお、温度ヒューズ２５，２６は、配線基板２２上でバリスタ１７〜１９に近接配置することで、バリスタ１７〜１９の発熱による温度上昇を検知し、所定の温度に達したときに溶断して、その熱暴走による破壊を防止する。また、発光ダイオード２７は、配線基板２２上で筐体１１の上部に配置され、その筐体１１の上部に形成された孔２８を介して目視可能となっている。この発光ダイオード２７は、正常状態で発光し、温度ヒューズ２５，２６が溶断することにより消灯する。
【００３３】
図６はＴＶ用差込接続器を前面側から見た時の配線基板２２を示し、図７はＴＥＬ用差込接続器を前面側から見た時の配線基板２２を示す。配線基板２２の表面側には、バリスタ１７〜１９、ガスアレスタ２０，２１、温度ヒューズ２５，２６、発光ダイオード２７、コネクタジャック１５ａ，１５ｂ、モジュラージャック１６ａ，１６ｂおよびプラグ受け１３が配置され、配線基板２２の裏面側には、差込みプラグ１２が配置されている。
【００３４】
この配線基板２２では、バリスタ１７〜１９、ガスアレスタ２０，２１、温度ヒューズ２５，２６、発光ダイオード２７、コネクタジャック１５ａ，１５ｂ、モジュラージャック１６ａ，１６ｂ、差込みプラグ１２およびプラグ受け１３からなる各構成部品を実装して回路構成するために同一の配線パターン４１を表裏両面に形成している。その配線パターン４１は、図６および図７に示すように、複数の導電ランド部Ａ〜Ｊ（図中クロスハッチング部分）で構成されている。図示しないが、裏面側の配線パターンは、図６および図７に示す表面側の配線パターン４１と同一である。
【００３５】
なお、導電ランド部Ａには差込みプラグ１２のＬ相端子１２ａおよびプラグ受け１３のＬ相端子１３ａ〔図２（Ａ）および図４（Ａ）参照〕が接続され、導電ランド部Ｂには差込みプラグ１２のＮ相端子１２ｂおよびプラグ受け１３のＮ相端子１３ｂ〔図２（Ａ）および図４（Ａ）参照〕が接続されている。導電ランド部Ｈには差込みプラグ１２の接地端子１２ｃが接続され、導電ランドＧにはプラグ受け１３の接地端子１３ｃ〔図２（Ａ）および図４（Ａ）参照〕が接続されている。導電ランド部Ｈと導電ランド部Ｇとを、樹脂被覆された太いリード線４２で接続することにより、差込みプラグ１２の接地端子１２ｃとプラグ受け１３の接地端子１３ｃとを接続している。導電ランド部Ｆと導電ランド部Ｇとは、錫メッキされたリード線４３（線径１ｍｍφ）で接続されている。導電ランド部Ａ，Ｂ，Ｄ，Ｆの幅狭部分には、錫メッキされたサージ補強用リード線４４〜４７（線径１ｍｍφ）が設けられている。
【００３６】
配線パターン４１において、図５〜図７に示すように、電力線から侵入した雷サージが流れる経路は、差込みプラグ１２のＬ相端子１２ａ（Ｎ相端子１２ｂ）−導電ランド部Ａ（導電ランド部Ｂ）−温度ヒューズ２５（温度ヒューズ２６）−導電ランド部Ｃ（導電ランド部Ｄ）−バリスタ１７，１９（バリスタ１８，１９）−導電ランド部Ｅ−ガスアレスタ２０−導電ランド部Ｆ−リード線４３−導電ランド部Ｇ−リード線４２−導電ランド部Ｈ−差込みプラグ１２の接地端子１２ｃとなる。また、通信線から侵入した雷サージが流れる経路は、コネクタジャック１５ａ，１５ｂ（モジュラージャック１６ａ，１６ｂ）−導電ランド部Ｉ，Ｊ−ガスアレスタ２１−導電ランド部Ｆ−リード線４３−導電ランド部Ｇ−リード線４２−導電ランド部Ｈ−差込みプラグ１２の接地端子１２ｃとなる。
【００３７】
以上のように、電力線および通信線から侵入する雷サージの経路となる導電ランド部Ａ〜Ｊを配線基板２２の表裏両面に配線パターン４１で形成することにより、回路構成のために歪に屈曲した形状となる配線パターン４１であっても、誘導雷だけでなく直撃雷にも対応し得る性能を確保することができる。この配線パターン４１は、通常、誘導雷に耐え得る７０μｍ厚の銅箔で形成され、この７０μｍ厚の銅箔からなる配線パターン４１を表裏両面に形成することにより、その断面積を片面形成の場合の二倍にすることで、サージ電流容量を二倍にして誘導雷だけでなく直撃雷にも耐え得るようにしている。
【００３８】
また、配線基板２２の表裏両面で配線パターン４１を同一としたことにより、表面側の配線パターン４１および裏面側の配線パターン４１のいずれか一方にサージ電流が集中することなく、表面側の配線パターン４１と裏面側の配線パターン４１でサージ電流が均等に流れるようにしている。これにより、耐サージ特性の向上を図っている。なお、前述のように誘導雷だけでなく直撃雷にも対応し得る性能を有する配線基板２２と比較して、誘導雷のみに対応し得る配線基板では、配線パターン４１を片面に形成したものを使用すればよい。
【００３９】
以上の構成からなるＴＶ用差込接続器およびＴＥＬ用差込接続器では、筐体１１の上部背面側に配設された差込みプラグ１２とその接地端子１２ｃとの間に電源用避雷器としてのバリスタ１７〜１９およびガスアレスタ２０を接続すると共に、差込みプラグ１２とその接地端子１２ｃとの間に、筐体１１の中央部前面側に配設されたプラグ受け１３を電源用避雷器（バリスタ１７〜１９およびガスアレスタ２０）と並列に接続したことにより、電力線、つまり、差込みプラグ１２のＬ相端子１２ａおよびＮ相端子１２ｂから侵入する誘導雷および直撃雷によるサージ電圧を前述のバリスタ１７〜１９およびガスアレスタ２０で吸収して、プラグ受け１３に接続されたテレビやＤＶＤレコーダ等の通信機器や、電話機やＦＡＸ等の通信機器を保護する。
【００４０】
同時に、筐体１１の下部に配設された通信用入出力端子間〔ＴＶ用差込接続器の場合はＴＶIN側（アンテナ側）コネクタジャック１５ａとＴＶOUT側（機器側）コネクタジャック１５ｂとの間、ＴＥＬ用差込接続器の場合はＴＥＬIN側（外線側）モジュラージャック１６ａとＴＥＬOUT側（機器側）モジュラージャック１６ｂとの間〕に、通信用避雷器としてのガスアレスタ２１を接続したことにより、アンテナからの同軸ケーブルやモジュラーコード等の通信線から侵入する誘導雷および直撃雷によるサージ電圧を前述のガスアレスタ２１で吸収して、ＴＶOUT側（機器側）コネクタジャック１５ｂに接続されたテレビやＤＶＤレコーダ等の通信機器や、ＴＥＬOUT側（機器側）モジュラージャック１６ｂに接続された電話機やＦＡＸ等の通信機器を保護する。
【００４１】
このようにして、簡易な手段を用いることにより、コンパクトで安価な一つのＴＶ用差込接続器またはＴＥＬ用差込接続器でもって、電力線および通信線の両方から侵入する雷サージによってテレビやＤＶＤレコーダ等の通信機器、あるいは電話機やＦＡＸ等の通信機器が故障することを未然に防止することができる。
【００４２】
図８は垂直な壁面３７に設けられた壁面コンセント３１にＴＶ用差込接続器を差し込んでテレビやＤＶＤレコーダ等の通信機器３２の電源コード３３を筐体１１のプラグ受け１３に差し込んだ接続状態で、図９は垂直な壁面３７に設けられた壁面コンセント３１にＴＥＬ用差込接続器を差し込んで電話機やＦＡＸ等の通信機器３４の電源コード３５を筐体１１のプラグ受け１３に差し込んだ接続状態を示す。
【００４３】
これらＴＶ用差込接続器およびＴＥＬ用差込接続器は、同図に示すように、筐体１１の下部背面側に、差込みプラグ１２を壁面コンセント３１に差し込んだ状態で筐体１１の姿勢を安定させる支持部を設けた構造を具備する。この支持部は、図２（Ｂ）〜（Ｄ）および図４（Ｂ）〜（Ｄ）に示すように、筐体１１の下部背面側の隅部に設けられた二つの突起３６としている。この突起３６は筐体１１と一体的に形成したり、あるいは筐体１１と別体で形成することが可能である。また、突起３６は、差込みプラグ１２を壁面コンセント３１に差し込んだ状態で筐体１１の姿勢を安定させる機能を有することから、筐体１１の下部背面側に形成すればよく、その位置および数は任意である。
【００４４】
このような構造を具備することにより、筐体１１の上部背面側に配設された差込みプラグ１２を壁面コンセント３１に差し込んだ場合、筐体１１の下部背面側に設けられた突起３６が壁面３７に当接する。これらＴＶ用差込接続器およびＴＥＬ用差込接続器は、筐体１１の下部にコネクタジャック１５ａ，１５ｂやモジュラージャック１６ａ，１６ｂが配設されていることから筐体１１の下部に重心があっても、筐体１１の下部背面側に設けられた突起３６を壁面３７に当接させることで筐体１１の姿勢を安定させることができる。その結果、壁面コンセント３１と壁面３７との間に段差（筐体１１の背面と壁面３７との間に隙間）があっても、ＴＶ用差込接続器およびＴＥＬ用差込接続器が傾いて差込みプラグ１２が壁面コンセント３１から浮くことを未然に防止することができる。
【００４５】
なお、支持部は、前述のように筐体１１の下部背面側の隅部に設けられた二つの突起３６とする以外に、図１０および図１１に示すようなシート３８であってもよい〔図２（Ｄ）および図４（Ｄ）参照〕。このシート３８は、クッション性を有するゴムや樹脂などの弾性部材からなり、一方の面に粘着材を形成したものである。ユーザ等が必要に応じてシート３８を粘着材により筐体１１の下部背面に貼り付けることにより、前述の突起３６と同様の浮き上がり防止機能を発揮する。この支持部としては、壁面コンセント３１と壁面３７との間の段差（筐体１１の背面と壁面３７との間の隙間）に応じた厚みを有するシート３８を使用したり、壁面コンセント３１と壁面３７との間の段差に応じて複数枚のシート３８を重ね合わせて使用したりすることが可能である。
【００４６】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００４７】
１１  筐体
１２  差込みプラグ
１２ｃ  接地端子
１３  プラグ受け
１５ａ，１５ｂ  通信用入出力端子（コネクタジャック）
１６ａ，１６ｂ  通信用入出力端子（モジュラージャック）
１７〜１９  電源用避雷器（酸化亜鉛素子）
２０  電源用避雷器（ギャップ型避雷素子）
２１  通信用避雷器（ギャップ型避雷素子）
２２  配線基板
３１  壁面コンセント
３６  支持部（突起）
３８  支持部（シート）
４１  配線パターン
【図１】
2013235825.tif 000003
【図２】
2013235825.tif 000004
【図３】
2013235825.tif 000005
【図４】
2013235825.tif 000006
【図５】
2013235825.tif 000007
【図６】
2013235825.tif 000008
【図７】
2013235825.tif 000009
【図８】
2013235825.tif 000010
【図９】
2013235825.tif 000011
【図１０】
2013235825.tif 000012
【図１１】
2013235825.tif 000013